【手続補正書】
【提出日】平成28年11月16日(2016.11.16)
【手続補正１】
【補正対象書類名】特許請求の範囲
【補正対象項目名】請求項３
【補正方法】変更
【補正の内容】
【請求項３】
タービンブレードと、前記タービンブレードが一体固定され、一端に歯科処置工具を取り付け可能な回転軸と、ハウジングに対して前記回転軸を回転自在に支持する一対の転がり軸受と、を備える歯科エアタービンであって、前記転がり軸受は、請求項１又は２に記載のアンギュラ玉軸受を採用することを特徴とする歯科エアタービン。 
【手続補正２】
【補正対象書類名】明細書
【補正対象項目名】０００２
【補正方法】変更
【補正の内容】
【０００２】
図５に示すように、歯科エアタービンハンドピース１２０は、クリップ部１２１と、このクリップ部１２１の先端部に設けられたへッド部１２２とを備え、術者はこのグリップ部１２１を持って例えば歯牙の切削加工を行う。 
【手続補正３】
【補正対象書類名】明細書
【補正対象項目名】０００７
【補正方法】変更
【補正の内容】
【０００７】
そこで、本発明の第１の発明は、歯科エアタービンに用いる軸受の密封性能を更に向上する為に、（１）外周部に内輪軌道面が形成された内輪と、内周部に外輪軌道面が形成された外輪と、内輪軌道面及び外輪軌道面との間に接触角を持って組み込まれた複数の玉と、を有するアンギュラ玉軸受であって、外輪の内周部と内輪の外周部の何れか一方は、その軌道面に対して軸方向一方側に形成された肩部と、軸方向他方側に形成されたカウンターボアと、を有し、外輪の内周部と内輪の外周部の何れか他方は、その軌道面を挟んだ軸方向両側に形成された一対の肩部を有し、外輪は、その前記肩部から前記内輪に向かって径方向へ延伸し且つ内輪の外周部と対向する密封部を更に有し、該密封部と内輪の外周部とがラビリンス構造となっていることを特徴とするアンギュラ玉軸受を提供している。
（２）内輪の外周部には段部が形成され、該密封部と軸方向及び径方向においてラビリンス構造となっていることを特徴とする上記（１）アンギュラ玉軸受。
本発明の第２の発明は、タービンブレードと、タービンブレードが一体固定され、一端に歯科処置工具を取り付け可能な回転軸と、ハウジングに対して回転軸を回転自在に支持する一対の転がり軸受と、を備える歯科エアタービンであって、転がり軸受は、（１）又は（２）に記載のアンギュラ玉軸受を採用することを特徴とする歯科エアタービンを提供している。 
【手続補正４】
【補正対象書類名】明細書
【補正対象項目名】０００８
【補正方法】変更
【補正の内容】
【０００８】
本発明のアンギュラ玉軸受は、外輪と密封装置を一体化することで、従来のシールド板のような径方向しかラビリンスを形成しない構造と比べて、軸方向にもラビンリンスも形成し、密封性能を向上する。また、シールド板のように外輪への取り付け性を考慮する必要がなくなるので、外輪と一体となった密封部の厚みの設計自由度を向上し、密封効果を高める為にその厚みを最大限に設計することが可能となる。従って、本発明の本発明のアンギュラ玉軸受は歯科エアタービンに好適に用いることができる。
また、本発明の歯科エアタービンは、上記の外輪一体化構造のアンギュラ玉軸受を採用するので、従来のシールド板構造のアンギュラ玉軸受を採用したものと比べて、回転性能が良く、軸受の不具合による故障の発生が少なくなる。 
【手続補正５】
【補正対象書類名】明細書
【補正対象項目名】０００９
【補正方法】変更
【補正の内容】
【０００９】
【図１】本発明の第1実施形態に係るアンギュラ玉軸受。
【図２】図１の要部拡大図である。
【図３】本発明の第２実施形態に係るアンギュラ玉軸受。
【図４】図３の要部拡大図である。
【図５】一般的な歯科エアタービンハンドピースを示す概略側面図である。
【図６】従来の歯科エアタービンの要部断面図である。
【手続補正６】
【補正対象書類名】明細書
【補正対象項目名】００１０
【補正方法】変更
【補正の内容】
【００１０】
（実施形態１）
次に、図１、２を参照しながら、本実施形態のアンギュラ玉軸受Ａを説明する。アンギュラ玉軸受Ａは、外輪１、内輪２、外輪１と内輪２の間に回転自在に保持される玉３と、玉３を保持するための保持器４を備え、内輪の内周面直径が１．５〜５ｍｍで、前記外輪の外周面直径が４〜１０ｍｍのものである。 
【手続補正７】
【補正対象書類名】明細書
【補正対象項目名】００１２
【補正方法】変更
【補正の内容】
【００１２】
外輪１の密封部１５は、その端部が内輪２と対向する平坦面となっており、内輪２には該密封部１５の端部と対向する円筒面２３と、肩部２２と円筒面２３との間の段差からなる段部２４とが形成されることで、軸方向及び径方向において外輪１の密封部１５とラビリンス構造となっている。該密封部１５の軸方向厚さは０．１ｍｍ以上にすることが好ましい。０．１ｍｍ以上とすると、異物が軸受内部に侵入する際に通過の必要がある通路の長さがより長い為、異物の進入がしにくい。また、密封部１５の軸方向厚さは、軸受のアキシアル隙間を考慮したうえ、玉や保持器と干渉しないようにその上限値を設定する。 
【手続補正８】
【補正対象書類名】明細書
【補正対象項目名】００１３
【補正方法】変更
【補正の内容】
【００１３】
ラビリンス構造の径方向隙間、即ち、密封部１５の先端から内輪２の外周との間の径方向隙間は０．１ｍｍ以下にすることが好ましい。径方向隙間は０．１ｍｍ以下となると、軸受の外部からの異物が侵入しにくくなる。一方、ラビリンス構造の径方向隙間、即ち、内輪２の円筒面２３と外輪１の密封部１５の間に形成される径方向隙間は、０．０５ｍｍ〜０．１ｍｍにすることが好ましい。０．０５ｍｍ以下になると、円筒面２３と密封部１５が接触してしまう可能性があり、０．１ｍｍ以上になると、異物侵入のおそれがある。 
【手続補正９】
【補正対象書類名】明細書
【補正対象項目名】００１６
【補正方法】変更
【補正の内容】
【００１６】
（実施形態２）
次に、図３、４を参照しながら、本実施形態のアンギュラ玉軸受Ａを説明する。第１の実施形態と同様な部分について、説明を省略する。外輪１の内周には、その軌道面１２に対して軸方向両側に形成された一対の肩部１３が形成されている。外輪１はその肩部１３から内輪２に向かって径方向へ延伸して形成し内輪２と対向する密封部１５を更に有する。 
【手続補正１０】
【補正対象書類名】明細書
【補正対象項目名】００１７
【補正方法】変更
【補正の内容】
【００１７】
一方、内輪２の外周には、その軌道面２１を挟んだ軸方向一方向側に形成された肩部２２と、軸方向他方側に設けられるカウンターボア２５とが形成され、且つカウンターボア２５の円筒面２３は外輪１の密封部１５と対向している。 
【手続補正１１】
【補正対象書類名】明細書
【補正対象項目名】００１８
【補正方法】変更
【補正の内容】
【００１８】
更に、外輪１の密封部１５は、その端部が内輪２のカウンターボア２５の円筒面２３と対向する平坦面となっており、内輪２のカウンターボア２５には該密封部１５の端部と対向する円筒面２３と、カウンターボア２５と円筒面２３との間の段差からなる段部２４とが形成される。これにより、外輪１の密封部１５と、内輪２の外周とは、軸方向及び径方向においてラビリンス構造となっている。密封部１５の軸方向厚さは０．１ｍｍ以上にすることが更に好ましく、密封性能を向上することができる。但し、密封部１５の軸方向厚さが厚すぎると、玉３や保持器４と干渉する虞があり、軸受のアキシアル寸法を考慮し、玉３や保持器４と干渉をしないようにその上限値を設定するのが好ましい。 
【手続補正１２】
【補正対象書類名】明細書
【補正対象項目名】００１９
【補正方法】変更
【補正の内容】
【００１９】
ラビリンス構造の径方向隙間、即ち、密封部１５の先端から内輪２の円筒面２３との間の径方向隙間は０．１ｍｍ以下にすることが好ましい。径方向隙間は０．１ｍｍ以下となると、軸受の外部からの異物が侵入しにくくなる。０．０５ｍｍ〜０．１ｍｍにすることが好ましい。０．０５ｍｍ以下になると、円筒面２３と密封部１５が接触してしまう可能性があり、０．１ｍｍ以上になると、異物侵入のおそれがある。 
【手続補正１３】
【補正対象書類名】明細書
【補正対象項目名】００２１
【補正方法】変更
【補正の内容】
【００２１】
１        外輪
１２      軌道面
１３      肩部
１４      カウンターボア
１５      密封部
２        内輪
２１      軌道面
２２      肩部
２３      円筒面
２４      段部
２５      カウンターボア